(57)【特許請求の範囲】
【請求項１】
上部フレームと、底部と、上部フレームにその上端部が枢支されたはね上げ側壁と、上下に分割された分割側壁とからなる折り畳みコンテナーにおいて、前記上部フレームが、水平部と内側垂直部と外側垂直部とから略逆Ｕ字状に形成されており、また、前記はね上げ側壁が枢支される前記上部フレームの前記水平部と内側垂直部と外側垂直部とにより形成される空間部には、中央部補強リブが形成されており、更に、前記中央部補強リブが位置する前記上部フレームの内側垂直部の下端には、衝合突起が突設されているとともに、前記はね上げ側壁が略垂直状態においては、前記衝合突起が、前記はね上げ側壁を構成する略逆Ｊ字状の中央領域連結板部材の先端部に対峙するように構成されていることを特徴とする折り畳みコンテナー。
【請求項２】
前記はね上げ側壁を構成する略逆Ｊ字状の中央領域連結板部材には、中央リブが形成されていることを特徴とする請求項１に記載の折り畳みコンテナー。
【請求項３】
前記衝合突起が、前記略逆Ｊ字状の中央領域連結板部材に形成された一対の中央リブ間に位置するように構成されていることを特徴とする請求項２に記載の折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと底部との間に配設される４枚の側壁のうち、一方の相対する側壁を上下に分割し、分割した側壁をヒンジで連結して折り畳み可能に構成し、また、もう一方の相対する側壁の上端部を上部フレームに枢着し、上方に回動可能に構成された折り畳みコンテナーが知られており、箱型に組み立てられた折り畳みコンテナーは、上部フレームにその上端部が枢着された側壁を、略垂直状態から、折り畳みコンテナーの内部方向に、略水平状態まで回動させ、次いで、上下に分割された側壁を、ヒンジ部分で折り畳むことにより、箱型に組み立てられた折り畳みコンテナーを、高さの低いコンパクトな状態に折り畳むことができるように構成されている。
【０００３】
箱型に組み立てられた折り畳みコンテナーを折り畳む際には、上述したように、先ず最初に、作業者が、上部フレームにその上端部が枢着された側壁の外壁面を、折り畳みコンテナーの内部方向に押圧して、略垂直状態から略水平状態まで回動させるが、箱型に組み立てられた状態の折り畳みコンテナーの上記側壁の下端部は、上記側壁が、簡単には、折り畳みコンテナーの内部方向に回動しないように、底部に係合されているので、この底部との係合状態を解除するために、上記側壁の外壁面を強く押さなければならない。このように、上記側壁の外壁面を強く押すと、上記側壁の中央部が、折り畳みコンテナーの内部方向に湾曲し、上記側壁と上部フレームとの枢支状態が外れたり、或いは、上記側壁と上部フレームとの枢支部材が損傷するという問題があった。
【０００４】
上述した問題を解決するために、上部フレームの中央部に、下方に延在する薄くて長い爪を垂設し、一方、上部フレームにその上端部が枢着された側壁には、その上部中央部に凹部を形成するとともに、この凹部を架橋するように横軸を配設することにより、上記側壁の外壁面を、折り畳みコンテナーの内部方向に押圧した際には、上記側壁に配設された横軸が、上部フレームに形成された爪に当接し、上記側壁の湾曲を防止するように構成された折り畳みコンテナーが知られている（例えば、特開平１１−１４７５２５号公報）。
【０００５】
【発明が解決しようとする課題】
上述した従来の折り畳みコンテナーにおいては、上部フレームにその上端部が枢着された側壁の上部中央部に形成された凹部を架橋する横軸と、上部フレームの中央部に垂設された爪とにより、上記側壁の湾曲を防止するように構成されているが、上記側壁の横軸が、上部フレームの爪に当接した際に、横軸や爪が損傷するという問題があった。
【０００６】
また、上部フレームにその上端部が枢着された側壁は、その上部中央部に凹部が形成されているとともに、この凹部を架橋する横軸が形成されているので、上記側壁を成形するための金型構造が複雑で高価なものとなるという問題があった。
【０００７】
更に、上部フレームの中央部には、肉厚が薄く長い爪が垂設されているので、このような爪を成形するための金型構造が複雑になるとともに、爪にバリ等が発生し易くなるという問題があり、また、折り畳みコンテナーに収容される物品の出し入れの際に、物品が、上記爪に引っ掛かり、折り畳みコンテナーへの物品の出し入れ作業の作業性が低下するとともに、物品が損傷するという問題があった。
【０００８】
本発明の目的は、上述した従来の折り畳みコンテナーが有する課題を解決することにある。
【０００９】
【課題を解決するための手段】
本発明は、上述した日田目的を達成するために、上部フレームと、底部と、上部フレームにその上端部が枢支されたはね上げ側壁と、上下に分割された分割側壁とからなる折り畳みコンテナーにおいて、第１には、前記上部フレームが、水平部と内側垂直部と外側垂直部とから略逆Ｕ字状に形成されており、また、前記はね上げ側壁が枢支される前記上部フレームの前記水平部と内側垂直部と外側垂直部とにより形成される空間部には、中央部補強リブが形成されており、更に、前記中央部補強リブが位置する前記上部フレームの内側垂直部の下端には、衝合突起が突設されているとともに、前記はね上げ側壁が略垂直状態においては、前記衝合突起が、前記はね上げ側壁を構成する略逆Ｊ字状の中央領域連結板部材の先端部に対峙するように構成したものであり、第２には、前記はね上げ側壁を構成する略逆Ｊ字状の中央領域連結板部材に、中央リブを形成したものであり、第３には、前記衝合突起が、前記略逆Ｊ字状の中央領域連結板部材に形成された一対の中央リブ間に位置するように構成したものである。
【００１０】
【実施例】
以下に、本発明の実施例について説明するが、本発明の趣旨を越えない限り何ら、本実施例に限定されるものではない。
【００１１】
折り畳みコンテナーは、上部フレーム１と、底部２と、上部フレーム１にその上端部が、後述する構成により枢支された、折り畳みコンテナーの内側方向に回動可能に構成された側壁（以下、この側壁を「はね上げ側壁」という。）３と、上下に分割されているとともに、適当なヒンジ４ａを介して連結された側壁（以下、この側壁を「分割側壁」という。）４とから構成されている。分割側壁４は、ヒンジ４ａを挟んで上方に位置する上部分割側壁４’と、ヒンジ４ａを挟んで下方に位置する下部分割側壁４”とから構成されており、上部分割側壁４’の上端部は、上部フレーム１に適当なヒンジを介して枢支されており、また、下部分割側壁４”の下端部は、底部２に適当なヒンジを介して枢支されている。
【００１２】
図１に示されている箱型状態の折り畳みコンテナーの略垂直状のはね上げ側壁３を、図２に示されているように、折り畳みコンテナーの内部方向に回動させて、略水平状態とし、次いで、分割側壁４を構成する上部分割側壁４’と下部分割側壁４”を連結しているヒンジ４ａを、折り畳みコンテナーの内部方向に移動させて、上部分割側壁４’と下部分割側壁４”とを重ねることにより、箱型状態の折り畳みコンテナーを、高さの低いコンパクトな状態に折り畳むことができるように構成されている。
【００１３】
次に、図３〜図５を用いて、はね上げ側壁３の湾曲防止手段について説明する。
【００１４】
上部フレーム１は、水平部１ａと、水平部１ａの両縁から、それぞれ下方に延在する内側垂直部１ｂと外側垂直部１ｃとから構成されており、長手方向に垂直な断面形状が、略逆Ｕ字状に形成されている。
【００１５】
１ｄは、はね上げ側壁３が枢支される側の上部フレーム１の水平部１ａと内側垂直部１ｂと外側垂直部１ｃとにより形成される空間部に、所定の間隔を置いて形成された板状の雌リブであり、雌リブ１ｄの内側垂直部１ｂの下端１ｂ１より下方に位置する部分には、嵌合孔１ｄ１が穿設されている。
【００１６】
１ｅ１は、上部フレーム１の水平部１ａと内側垂直部１ｂと外側垂直部１ｃとにより形成される空間部の中央部に形成された板状の中央部補強リブであり、同様の補強リブ１ｅ２が、中央部補強リブ１ｅ１を挟んで、適当な位置に、適当数、形成されている。中央部補強リブ１ｅ１及び補強リブ１ｅ２は、その下端が、上部フレーム１の内側垂直部１ｂの下端１ｂ１より下方に突出しないように構成されている。なお、本実施例においては、中央部補強リブ１ｅ１を挟んで、それぞれ２個ずつ補強リブ１ｅ２が形成されており、全部で４個の補強リブ１ｅ２が示されている。
【００１７】
５は、中央部補強リブ１ｅ１が位置する上部フレーム１の内側垂直部１ｂの下端１ｂ１に突設された衝合突起であり、その高さは、５ｍｍ程度以下に形成されている。また、衝合突起５の肉厚は、少なくとも、上部フレーム１の内側垂直部１ｂの肉厚と同じで、上部フレーム１の内側垂直部１ｂの肉厚より厚くすることが好ましい。
【００１８】
上部分割側壁４’が枢支される側の上部フレーム１の両端部付近には、上部フレーム１の内側垂直部１ｂを奥部垂直壁６ａとする凹部６が形成されており、奥部垂直壁６ａには、枢支ピン７が嵌入可能な透孔６ｂが穿設されている。
【００１９】
はね上げ側壁３の上部水平フランジ３ａの中央部領域には、適当な間隔を置いて、上部が半円形状の板状で、且つ、上部水平フランジ３ａの長手方向に直交する垂直リブ８が立設されている。また、一対の垂直リブ８の上部中央部付近から垂直リブ８の外側端部（折り畳みコンテナーを箱状に組み立てた際に、外側に位置する部分）を連結するように、略逆Ｊ字状の中央領域連結板部材９が形成されている。１０は、所定の幅の間隙を形成するように、上部水平フランジ３ａの中央部に立設された、垂直リブ８と同一形状の一対の中央リブであり、この中央リブ１０の間隙に、上述した上部フレーム１の内側垂直部１ｂの下端１ｂ１に突設された衝合突起５が位置するように構成されている。１１は、垂直リブ８に隣接して、垂直リブ８より、はね上げ側壁３の中央寄りに形成された、垂直リブ８と同一形状の補強リブであり、必要に応じて、適宜、形成することができる。
【００２０】
１２は、上述したはね上げ側壁３の上部水平フランジ３ａに立設された垂直リブ８に対して、はね上げ側壁３の側部寄りに立設された、垂直リブ８と同一形状の嵌合軸支持リブであり、垂直リブ８と嵌合軸支持リブ１２との間には、上述した上部フレーム１に形成された雌リブ１ｄが挿入可能な間隙が形成されている。また、嵌合軸支持リブ１２の垂直リブ８側の側壁面には、該側壁面に垂直な嵌合軸１３が突設されており、嵌合軸１３の先端と垂直リブ８の側壁面との距離は、上部フレーム１に形成された雌リブ１ｄの厚さより、短くなるように構成されている。
【００２１】
１４は、嵌合軸支持リブ１２より、はね上げ側壁３の側部寄りに立設された、垂直リブ８と同一形状の側部寄りリブであり、嵌合軸支持リブ１２と側部寄りリブ１４とは、上述した略逆Ｊ字状の中央領域連結板部材９と同様の端部領域連結板部材１５で連結されている。１６は、はね上げ側壁３の側部垂直リブ３ｂを、上方に延在することにより形成された、垂直リブ８と同一形状の端部リブであり、側部寄りリブ１４と端部リブ１６とを連結するように、上述した枢支ピン７が嵌入可能な円筒体１７が架橋されている。
【００２２】
上部フレーム１に、はね上げ側壁３を取り付けるには、先ず最初に、上部フレーム１に形成された雌リブ１ｄを、はね上げ側壁３の垂直リブ８と嵌合軸支持リブ１２との間に形成された間隙に挿入し、更に、上部フレーム１に形成された雌リブ１ｄを、雌リブ１ｄの厚さより狭い間隙を有する、はね上げ側壁３の嵌合軸支持リブ１２に突設された嵌合軸１３の先端と垂直リブ８の側壁面との間隙に嵌入するとともに、嵌合軸１３を、上部フレーム１に形成された雌リブ１ｄに穿設された嵌合孔１ｄ１に挿通する。次いで、枢支ピン７を、上部フレーム１の奥部垂直壁６ａに穿設された透孔６ｂ及びはね上げ側壁３の側部寄りリブ１４と端部リブ１６とを連結するように架橋された円筒体１７に嵌入することにより、はね上げ側壁３を、上部フレーム１に枢支する。このように、はね上げ側壁３が、上部フレーム１に枢支された状態においては、上部フレーム１の内側垂直部１ｂの下端１ｂ１に突設された衝合突起５が、はね上げ側壁３の一対の中央リブ１０間に位置する略逆Ｊ字状の中央領域連結板部材９の先端部９ａに対峙するように構成されている。なお、分割側壁４を構成する上部分割側壁４’と下部分割側壁４”の上部フレーム１及び底部２への取り付けは公知であるので、その詳細な説明は省略する。
【００２３】
箱型に組み立てられた折り畳みコンテナーを折り畳む際には、上述したように、作業者が、上部フレーム１にその上端部が枢着されたはね上げ側壁３の外壁面を、折り畳みコンテナーの内部方向に押圧して、はね上げ側壁３を、略垂直状態から略水平状態まで回動させるが、このはね上げ側壁３の上方への回動作業の際に、はね上げ側壁３の中央部が、折り畳みコンテナーの内部方向に湾曲しようとしても、はね上げ側壁３の一対の中央リブ１０間に位置する略逆Ｊ字状の中央領域連結板部材９の先端部９ａが、上部フレーム１の内側垂直部１ｂの下端１ｂ１に突設された衝合突起５に当接するので、はね上げ側壁３の中央部の折り畳みコンテナーの内部方向への湾曲が阻止され、従って、上部フレーム１に形成された雌リブ１ｄの嵌合孔１ｄ１から、はね上げ側壁３の嵌合軸支持リブ１２に突設された嵌合軸１３が抜け出るようなことが防止できる。また、はね上げ側壁３の折り畳みコンテナーの内部方向への湾曲が阻止されるので、上部フレーム１の奥部垂直壁６ａに穿設された透孔６ｂ及びはね上げ側壁３の側部寄りリブ１４と端部リブ１６とを連結するように架橋された円筒体１７に嵌入された枢支ピン７が折り曲がるようなことが防止できる。
【００２４】
上述したような、はね上げ側壁３の折り畳みコンテナーの内部方向への湾曲を阻止するはね上げ側壁湾曲阻止手段を構成する、はね上げ側壁３側の阻止部材が、上述した従来の折り畳みコンテナーのような折れ易い横軸ではなく、略逆Ｊ字状の中央領域連結板部材９として構成されているので、上部フレーム１の内側垂直部１ｂの下端１ｂ１に突設された衝合突起５に当接しても、中央領域連結板部材９が損傷するようなことがない。
【００２５】
また、はね上げ側壁３の折り畳みコンテナーの内部方向への湾曲を阻止するはね上げ側壁湾曲阻止手段を構成する、上部フレーム１の衝合突起５は、従来のように、薄くて長い爪に形成されていないので、はね上げ側壁３に形成された中央領域連結板部材９が当接しても、損傷するようなことがないし、更には、折り畳みコンテナーに収容される物品の出し入れの際に、物品が、衝合突起５に引っ掛かり、折り畳みコンテナーへの物品の出し入れ作業の作業性が低下するというようなことも防止でき、従って、折り畳みコンテナーに収容される物品の出し入れ作業の作業性が向上する。
【００２６】
更に、上部フレーム１の衝合突起５が当接するはね上げ側壁３の中央領域連結板部材９には、中央リブ１０が形成されているので、上部フレーム１の衝合突起５が当接する中央領域連結板部材９部分が補強されるので、従って、上部フレーム１の衝合突起５が当接する中央領域連結板部材９部分が損傷するようなことが防止できる。
【００２７】
更にまた、上部フレーム１の衝合突起５は、はね上げ側壁３の中央領域連結板部材９が対峙する突出量を有していればよいので、従来の爪のように、薄くて長くする必要がなく、従って、衝合突起５の損傷が防止できるとともに、衝合突起５にバリ等が発生するようなことがない。
【００２８】
なお更に、はね上げ側壁に凹部を形成するとともに、この凹部を架橋するように横軸を配設した従来の折り畳みコンテナーのように、はね上げ側壁湾曲阻止手段が複雑な構造を有していないので、金型構造が簡素化され、従って、金型の製造コストの低減化を実現することができる。
【００２９】
更になお、上部フレーム１の衝合突起５は、中央部補強リブ１ｅ１が位置する上部フレーム１に形成されているので、はね上げ側壁３の中央領域連結板部材９が、上部フレーム１の衝合突起５に当接した際に、上部フレーム１の内側垂直部１ｂが、折り畳みコンテナーの内部方向に湾曲するようなことがなく、従って、確実に、はね上げ側壁３の折り畳みコンテナーの内部方向への湾曲を防止することができる。
【００３０】
更には、はね上げ側壁３に形成された一対の中央リブ１０の間隙に、上部フレーム１の内側垂直部１ｂの下端１ｂ１に突設された衝合突起５が位置するように構成されているので、はね上げ側壁３の上部フレーム１に沿った方向のガタを止めることができる。この場合、上部フレーム１に形成された衝合突起５の肉厚（内側垂直部１ｂに対して垂直方向の肉厚）を、内側垂直部１ｂの肉厚より厚くする方が、より確実に、ガタを防止することができる。
【００３１】
なお、上述した実施例には、上部フレーム１に形成された衝合突起５が、１個、突設された例が示されているが、このような衝合突起５は、複数個、突設することもできる。例えば、上部フレーム１の中央に１個と、該中央に突設された衝合突起５を挟んで、それぞれ、１個ずつ、合計、３個の衝合突起５を突設することもできるし、中央に位置する衝合突起５を省略して、２個の衝合突起５を突設することもできる。また、上述した実施例には、上部フレーム１に形成された衝合突起５が、上部フレーム１の中央部に突設されている例が示されているが、必ずしも、中央部に限定される必要はなく、はね上げ側壁３が配設されている上部フレーム１の両端部付近に突設することもできる。
【００３２】
【発明の効果】
本発明は、以上説明したように構成されているので、以下に記載されるような効果を奏する。
【００３３】
はね上げ側壁の折り畳みコンテナーの内部方向への湾曲を阻止するはね上げ側壁湾曲阻止手段を構成するはね上げ側壁側の阻止部材が、リブを連結する連結板部材として構成されているので、上部フレーム側の阻止部材が当接しても、はね上げ側壁側の阻止部材が損傷するようなことがない。
【００３４】
はね上げ側壁の折り畳みコンテナーの内部方向への湾曲を阻止するはね上げ側壁湾曲阻止手段を構成する上部フレーム側の阻止部材が、補強リブが位置する上部フレームに形成されているので、はね上げ側壁側の阻止部材が、上部フレーム側の阻止部材に当接した際に、上部フレームが、折り畳みコンテナーの内部方向に湾曲するようなことがなく、従って、確実に、はね上げ側壁の折り畳みコンテナーの内部方向への湾曲を防止することができる。
【００３５】
はね上げ側壁の折り畳みコンテナーの内部方向への湾曲を阻止するはね上げ側壁湾曲阻止手段を構成する上部フレーム側の阻止部材が、上部フレームの内側垂直部の下端に突設された衝合突起として構成されているので、従来の折り畳みコンテナーの爪のように、薄くて長く形成されていないので、従って、衝合突起の損傷が防止できるとともに、衝合突起にバリ等が発生するようなことがない。
【００３６】
上部フレーム側の阻止部材としての衝合突起が、中央部補強リブが位置する箇所に形成されているので、より、確実に、且つ、効果的に、はね上げ側壁の折り畳みコンテナーの内部方向への湾曲を防止することができる。
【図面の簡単な説明】
【図１】図１は箱型に組み立てられた状態の本発明の折り畳みコンテナーの斜視図である。
【図２】図２は本発明の折り畳みコンテナーの折り畳み途中の斜視図である。
【図３】図３は本発明の折り畳みコンテナーの上部フレームの一部とはね上げ側壁の分解斜視図である。
【図４】図４は本発明の折り畳みコンテナーの上部フレームとはね上げ側壁とが連結された状態の部分斜視図である。
【図５】図５は本発明の折り畳みコンテナーの上部フレームとはね上げ側壁の中央部分のはね上げ側壁に垂直な部分垂直断面図である。
【符号の説明】
１・・・・・・・・上部フレーム
２・・・・・・・・底部
３・・・・・・・・はね上げ側壁
４・・・・・・・・分割側壁
５・・・・・・・・衝合突起
９・・・・・・・・中央領域連結板部材
【図１】
0003740020.tif 000002
【図２】
0003740020.tif 000003
【図３】
0003740020.tif 000004
【図４】
0003740020.tif 000005
【図５】
0003740020.tif 000006